(57)【要約】【課題】  光学ズーム領域でマクロオートフォーカス撮影に不適切な領域があるような撮像装置において、利用者が混乱することなく操作を行うことを可能にすることを課題とする。【解決手段】  ズームを行うための光学ズームレンズと、光学ズームレンズを通した被写体像を電気画像信号に変換するための撮像手段と、被写体にフォーカスを自動的に合わせるためのオートフォーカス手段とを有する撮像装置が提供される。その際、現在のズーム位置（３０２）と共にマクロオートフォーカス撮影に適切でないズーム領域（３０４）を表示する。【選択図】  図３
2005208395.tif 000002
【特許請求の範囲】
【請求項１】
ズームを行うための光学ズームレンズと、
前記光学ズームレンズを通した被写体像を電気画像信号に変換するための撮像手段と、
被写体にフォーカスを自動的に合わせるためのオートフォーカス手段と、
現在のズーム位置と共にマクロオートフォーカス撮影に適切でないズーム領域を表示する表示手段と
を有することを特徴とする撮像装置。
【請求項２】
さらに、マクロオートフォーカス撮影を行うためのマクロオートフォーカスモード又は通常オートフォーカス撮影を行うための通常オートフォーカスモードを設定するための設定手段を有し、
前記表示手段は、前記マクロオートフォーカスモードが設定されると、現在のズーム位置と共にマクロオートフォーカス撮影に適切でないズーム領域を表示することを特徴とする請求項１記載の撮像装置。
【請求項３】
前記表示手段は、前記マクロオートフォーカスモードが設定されると、現在のズーム位置と共にマクロオートフォーカス撮影に適切でないズーム領域を表示し、前記通常オートフォーカスモードが設定されると、マクロオートフォーカス撮影に適切でないズーム領域を表示しないことを特徴とする請求項２記載の撮像装置。
【請求項４】
さらに、操作に応じて前記光学ズームレンズを移動させるためのズーム移動操作手段を有することを特徴とする請求項１乃至３のいずれか１項に記載の撮像装置。
【請求項５】
ズームを行うための光学ズームレンズと、
前記光学ズームレンズを通した被写体像を電気画像信号に変換するための撮像手段と、
被写体にフォーカスを自動的に合わせるためのオートフォーカス手段と、
現在のズーム位置がマクロオートフォーカス撮影に適切でないズーム領域内にあるときにはその旨を表示する表示手段と
を有することを特徴とする撮像装置。
【請求項６】
さらに、マクロオートフォーカス撮影を行うためのマクロオートフォーカスモード又は通常オートフォーカス撮影を行うための通常オートフォーカスモードを設定するための設定手段を有し、
前記表示手段は、前記マクロオートフォーカスモードが設定された場合に、現在のズーム位置がマクロオートフォーカス撮影に適切でないズーム領域内にあるときにはその旨を表示することを特徴とする請求項５記載の撮像装置。
【請求項７】
前記表示手段は、前記マクロオートフォーカスモードが設定された場合に、前記マクロオートフォーカスモードが設定されている情報、及び現在のズーム位置がマクロオートフォーカス撮影に適切でないズーム領域内にあるときにはその情報を表示することを特徴とする請求項６記載の撮像装置。
【請求項８】
前記表示手段は、前記マクロオートフォーカスモードが設定された場合に前記マクロオートフォーカスモードが設定されている情報を表示する際に、現在のズーム位置がマクロオートフォーカス撮影に適切でないズーム領域内にあるときにはその情報を付加して表示することを特徴とする請求項７記載の撮像装置。
【請求項９】
さらに、操作に応じて前記光学ズームレンズを移動させるためのズーム移動操作手段を有することを特徴とする請求項５乃至８のいずれか１項に記載の撮像装置。
【請求項１０】
ズームを行うための光学ズームレンズと、前記光学ズームレンズを通した被写体像を電気画像信号に変換するための撮像手段と、被写体にフォーカスを自動的に合わせるためのオートフォーカス手段とを有する撮像装置の制御方法であって、
現在のズーム位置を取得する取得ステップと、
前記現在のズーム位置と共にマクロオートフォーカス撮影に適切でないズーム領域を表示する表示ステップと
を有することを特徴とする撮像装置の制御方法。
【請求項１１】
ズームを行うための光学ズームレンズと、前記光学ズームレンズを通した被写体像を電気画像信号に変換するための撮像手段と、被写体にフォーカスを自動的に合わせるためのオートフォーカス手段とを有する撮像装置の制御方法であって、
現在のズーム位置を取得する取得ステップと、
前記現在のズーム位置がマクロオートフォーカス撮影に適切でないズーム領域内にあるときにはその旨を表示する表示ステップと
を有することを特徴とする撮像装置の制御方法。
【請求項１２】
請求項１０又は１１記載の撮像装置の制御方法の各ステップをコンピュータに実行させるためのプログラム。
【発明の詳細な説明】
【技術分野】
【０００１】
本発明は、光学ズームレンズを有する撮像装置、その制御方法及びプログラムに関する。
【背景技術】
【０００２】
従来光学ズームを有しマクロＡＦ（オートフォーカス）制御可能な画像記録装置において、マクロＡＦ撮影が不可能な光学ズームの領域が存在する場合に、利用者の操作性をそこなわないような制御を行うものがある。たとえば、特許文献１に示すものではマクロＡＦモードを選択時に光学ズーム領域がマクロＡＦ制御不能である場合に光学ズームを移動し制御可能な範囲に収めるまたはマクロＡＦ制御不能である場合であっても光学ズームは移動しない状態を選択させることを可能とし、マクロモードの状態に応じて表示装置を光らせて誤操作を防止するようにしている。
【０００３】
【特許文献１】特開平１１−１８３７８２号公報
【発明の開示】
【発明が解決しようとする課題】
【０００４】
しかしながら後者の場合においてマクロＡＦ制御が不能である光学ズーム領域に現在あることが利用者に伝わりにくいという問題があった。
【０００５】
本発明の目的は、光学ズーム領域でマクロオートフォーカス撮影に不適切な領域があるような撮像装置において、利用者が混乱することなく操作を行うことを可能にすることである。
【課題を解決するための手段】
【０００６】
本発明の撮像装置は、ズームを行うための光学ズームレンズと、前記光学ズームレンズを通した被写体像を電気画像信号に変換するための撮像手段と、被写体にフォーカスを自動的に合わせるためのオートフォーカス手段と、現在のズーム位置と共にマクロオートフォーカス撮影に適切でないズーム領域を表示する表示手段とを有することを特徴とする。
また、本発明の撮像装置は、ズームを行うための光学ズームレンズと、前記光学ズームレンズを通した被写体像を電気画像信号に変換するための撮像手段と、被写体にフォーカスを自動的に合わせるためのオートフォーカス手段と、現在のズーム位置がマクロオートフォーカス撮影に適切でないズーム領域内にあるときにはその旨を表示する表示手段とを有することを特徴とする。
また、本発明の撮像装置の制御方法は、ズームを行うための光学ズームレンズと、前記光学ズームレンズを通した被写体像を電気画像信号に変換するための撮像手段と、被写体にフォーカスを自動的に合わせるためのオートフォーカス手段とを有する撮像装置の制御方法であって、現在のズーム位置を取得する取得ステップと、前記現在のズーム位置と共にマクロオートフォーカス撮影に適切でないズーム領域を表示する表示ステップとを有することを特徴とする。
また、本発明の撮像装置の制御方法は、ズームを行うための光学ズームレンズと、前記光学ズームレンズを通した被写体像を電気画像信号に変換するための撮像手段と、被写体にフォーカスを自動的に合わせるためのオートフォーカス手段とを有する撮像装置の制御方法であって、現在のズーム位置を取得する取得ステップと、前記現在のズーム位置がマクロオートフォーカス撮影に適切でないズーム領域内にあるときにはその旨を表示する表示ステップとを有することを特徴とする。
また、本発明のプログラムは、上記の撮像装置の制御方法の各ステップをコンピュータに実行させるためのプログラムである。
【発明の効果】
【０００７】
現在のズーム位置がマクロオートフォーカス撮影に不適切な領域であるか否かを、利用者が容易に知ることができ、利用者が混乱することなく適切な操作を行うことができる。
【発明を実施するための最良の形態】
【０００８】
以下、図面を参照して本発明の実施形態を説明する。図１は、本発明の実施形態の構成を示す図である。
【０００９】
図1において、１００はデジタルカメラ（撮像装置）である。
１０は撮影レンズ（光学ズームレンズ及びフォーカスレンズ）、１２は絞り機能を備えるシャッター、１４は撮影レンズ１０を通した被写体光学像を電気画像信号に変換する撮像素子、１６は撮像素子１４のアナログ信号出力をディジタル信号に変換するＡ／Ｄ変換器である。
【００１０】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１１】
２０は画像処理回路であり、 Ａ／Ｄ変換器１６からのデータ或いはメモリ制御回路２２からのデータに対して所定の画素補間処理や色変換処理を行う。
【００１２】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１３】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１６】
２４は画像表示メモリ、２６はＤ／Ａ変換器、２８はＴＦＴ  ＬＣＤ（液晶表示装置）等から成る画像表示部であり、画像表示メモリ２４に書き込まれた表示用の画像データはＤ／Ａ変換器２６を介して画像表示部２８により表示される。
【００１７】
画像表示部２８を用いて撮像した画像データを逐次表示すれば、電子ファインダ機能を実現することが可能である。
【００１８】
また、画像表示部２８は、システム制御回路５０の指示により任意に表示をオン（ＯＮ）／オフ（ＯＦＦ）することが可能であり、表示をＯＦＦにした場合にはデジタルカメラ１００の電力消費を大幅に低減することが出来る。
【００１９】
３０は撮影した静止画像や動画像を格納するためのメモリであり、所定枚数の静止画像や所定時間の動画像を格納するのに十分な記憶容量を備えている。
【００２０】
これにより、複数枚の静止画像を連続して撮影する連写撮影やパノラマ撮影の場合にも、高速かつ大量の画像書き込みをメモリ３０に対して行うことが可能となる。
【００２１】
また、メモリ３０はシステム制御回路５０の作業領域としても使用することが可能である。
【００２２】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２３】
４０は絞り機能を備えるシャッター１２を制御する露光制御手段であり、フラッシュ４８と連携することによりフラッシュ調光機能も有するものである。
【００２４】
４２は撮影レンズ（フォーカスレンズ）１０のフォーカシング（フォーカス合わせ）を自動的に制御する測距制御手段（ＡＦ手段）、４４は撮影レンズ（光学ズームレンズ）１０のズーミングを制御するズーム制御手段でここを通してズームの移動指示、ズームの現在位置を取得する事が可能である。
【００２５】
４６はバリアである保護手段１０２の動作を制御するバリア制御手段である。
４８はフラッシュであり、ＡＦ補助光の投光機能、フラッシュ調光機能も有する。
【００２６】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２７】
５０はデジタルカメラ１００全体を制御するシステム制御回路、５２はシステム制御回路５０の動作用の定数、変数、プログラム等を記憶するメモリである。
【００２８】
５４はシステム制御回路５０でのプログラムの実行に応じて、文字、画像、音声等を用いて動作状態やメッセージ等を表示する液晶表示装置、スピーカー等の表示部であり、デジタルカメラ１００の操作部近辺の視認し易い位置に単数或いは複数個所設置され、例えばＬＣＤやＬＥＤ、発音素子等の組み合わせにより構成されている。
【００２９】
また、表示部５４は、その一部の機能が光学ファインダ１０４内に設置されている。
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ズームバー、エラー表示、複数桁の数字による情報表示、外部記録媒体２００の着脱状態表示、通信Ｉ／Ｆ（インタフェース）動作表示、日付け・時刻表示、等がある。
【００３０】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３１】
５６は電気的に消去・記録可能な不揮発性メモリであり、例えばＥＥＰＲＯＭ等が用いられる。
【００３２】
６０は撮像装置の動作モードを変更するためのモードダイアル、６２及び６４はシャッタースイッチ、６６は画像表示部のＯＮ／ＯＦＦを指定するボタン、６８はクイックレビューのＯＮ／ＯＦＦを指定するためのＯＮ／ＯＦＦボタン及び７０は撮影のパラメータを変更すための複数の操作ボタン、レバーを構成し、メニューボタンや十字キー、ズームレバー等で構成され、利用者はこのズームレバーを用いてズームを駆動することが可能である。システム制御回路５０の各種の動作指示を入力するための操作手段であり、スイッチやダイアル、タッチパネル、視線検知によるポインティング、音声認識装置等の単数或いは複数の組み合わせで構成される。
【００３３】
ここで、これらの操作手段の具体的な説明を行う。
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３４】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３５】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００３６】
６６は画像表示ＯＮ／ＯＦＦスイッチで、画像表示部２８のＯＮ／ＯＦＦを設定することが出来る。
【００３７】
この機能により、光学ファインダ１０４を用いて撮影を行う際に、ＴＦＴ  ＬＣＤ等から成る画像表示部２８への電流供給を遮断することにより、省電力を図ることが可能となる。
【００３８】
６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００３９】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン等がある。
【００４０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４１】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４２】
９０はメモリカード等の外部記録媒体とデータの送受信を行うカードコントローラ、９１はメモリカード等の外部記録媒体とのインタフェース、９２はメモリカード等の外部記録媒体と接続を行うコネクタ、９８はコネクタ９２に外部記録媒体２００が装着されているか否かを検知する記録媒体着脱検知手段である。
【００４３】
なお、本実施形態では記録媒体を取り付けるインタフェースやコネクタは、単数或いは複数、いずれの系統数を備える構成としても構わない。また、異なる規格のインタフェース及びコネクタを組み合わせて備える構成としても構わない。
【００４４】
インタフェース及びコネクタとしては、ＰＣＭＣＩＡカードやＣＦ（コンパクトフラッシュ（Ｒ））カード等の規格に準拠したものを用いて構成して構わない。
【００４５】
さらに、インタフェース９１、そしてコネクタ９２をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４６】
１０２は、デジタルカメラ１００のレンズ１０を含む撮像部を覆う事により、撮像部の汚れや破損を防止するバリアである保護手段である。
【００４７】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００４８】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４９】
１１２は通信手段１１０によりデジタルカメラ１００を他の機器と接続するコネクタ或いは無線通信の場合はアンテナである。
【００５０】
２００はフラッシュメモリカード等の外部記録媒体である。
以上がデジタルカメラ１００の全体のシステム構成である。
【００５１】
図３は、本実施形態を実施した際に表示部５４に表示するズームバーの構成の一例を説明するものである。３００はズームバー全体を示し、３０１〜３０５の描画要素から構成される。３０１及び３０５は、それぞれズームバーの左側がズームのワイド（広角）端、右側がテレ（望遠）端を意味することを示すためのアイコンである。３０３は、ズーム稼動領域の全体を示すためのバーである。３０２は、現在のズーム位置を示すためのバーとなる。ズーム位置がワイド端にいる場合は、３０２の黒塗りしてある部分が左端のみとなり、ズーム位置がテレ端にいる場合は３０２の黒塗りされる部分はズーム全体を示す領域３０３にほぼ一致した領域となる。３０４は、マクロＡＦ撮影には不適切なズーム位置に対応した領域を示すバーである。このようにズームバーを構成することにより、ズームの操作に応じて現在のズーム位置を示す領域３０２が移動し、バー３０２がマクロに不適切な領域を示すバー３０４と領域的に重なった表示となるため、利用者は現在のズーム位置がマクロ撮影に不適切である事を直感的に知ることが可能となる。
【００５２】
次に、図２を用いて本実施形態を実施するために必要な制御に関して説明する。図２は、ズーム駆動するときの操作、表示を管理するモジュールとズーム駆動を管理するモジュールのやり取りを示す図である。ここで、モジュールは、回路又はコンピュータプログラム等である。まず操作、表示管理モジュールが７０のズームレバー操作を検知した場合、ステップＳ２−１において、ズームレバーの操作方向に応じてズーム駆動管理モジュールにズーム駆動開始要求を送る。次に、ステップＳ２−２において、駆動開始要求を受けたズーム駆動管理モジュールはズーム駆動を開始し、定期的にズーム位置変更通知を表示管理モジュールに伝える。この通知を受け、ステップＳ２−３において、操作、表示管理モジュールはズーム位置取得要求をズーム駆動管理モジュールに送信する。次に、ステップＳ２−４において、操作、表示管理モジュールはズーム位置通知をズーム駆動管理モジュールから受信してズーム位置を取得する。次に、ステップＳ２−５において、操作、表示管理モジュールはズームバー３００を描画する。次に、ステップＳ２−６及びＳ２−７において、上記のステップＳ２−２〜Ｓ２−５を繰り返す。
【００５３】
ステップＳ２−８において、操作者がズームレバーの操作をやめた事を操作、表示管理モジュールが検知した場合はズーム駆動管理モジュールにズーム駆動停止要求を送り、ズームの移動は終了する。ズームの開始後ズームの移動が終了するまでの間はズーム位置変更通知Ｓ２−２からズームバー描画Ｓ２−５の処理が繰り返し行われる（Ｓ２−６，Ｓ２−７…）事により、３００に示したズームバーの描画を更新することが可能である。
【００５４】
次に、図４を用いてズームバーの描画処理Ｓ２−５の詳細について説明する。描画処理においては、まずステップＳ４−１において、ズームバーのワイド端、テレ端を示すアイコン３０１及び３０５を描画する。その後、ステップＳ４−２において、ズーム全体領域を示す矩形３０３を描画する。次に、ステップＳ４−３において、現在の位置を示す矩形３０２を描画する。ステップＳ４−３において、ズーム全体のポジション数をX、現在のポジションをXCとし、ズーム全体領域を示す矩形の幅をWとすると描画すべき矩形の幅wおよび、描画開始するx座標はズーム全体の領域に対して相対的に次式で求めることが可能である。
【００５５】
x = 0
w = W * （XC/X）
【００５６】
次に、ステップＳ４−４で、ズーム全体領域のうちマクロ不適切領域を示す矩形３０４を描画するが、この描画をすべき位置x-macro、及び幅w-macro とし、実際に不適切の領域の開始位置を X0、終了位置 を X1 とすると、次式として計算が可能であり、３０４の開始位置および描画の幅を決定することが可能である。
【００５７】
x-macro = W * (X0/X)
w-macro = W * ((X1-X0)/X) 
【００５８】
上述の説明ではズーム位置変更に応じて描画する際毎回ズームバー全体を描画するものとして説明したが、特に必要もなければ描画速度を向上するために更新の必要がある部分、つまり、現在のズーム位置を示す矩形３０２のみ描画するように処理を変更することが可能である。
【００５９】
上記の様に処理を制御することで本発明の第１の実施形態を実現することが可能である。
【００６０】
また、マクロＡＦモードが設定された際にマクロＡＦモードであることを示すアイコンを描画する際に、ズーム駆動制御部より、現在のズーム位置を取得し、あらかじめ取得してあるマクロＡＦモードに不適切な光学ズーム範囲にあるかどうかを判別し、判別結果に応じてマクロ制御に不適切な場合は図５の５０２のアイコンを描画、そうでない場合は５０１の異なるアイコンを描画するようにすれば第２の実施形態を実現することも可能である。
【００６１】
ユーザは、操作部７０を操作することにより、マクロＡＦモード又は通常ＡＦモードを選択設定することができる。マクロＡＦモードは、至近距離の被写体をマクロＡＦ接写撮影するためのＡＦモードであり、至近距離範囲でフォーカスを自動的に合わせることができる。通常モードＡＦモードは、至近距離よりも遠い距離の被写体を通常ＡＦ撮影するためのＡＦモードであり、至近距離範囲でフォーカスを自動的に合わせることができる。マクロＡＦモードでは、フォーカスを合わせることができないマクロＡＦ制御不能の光学ズーム領域が存在する。
【００６２】
第１の実施形態では、現在の光学ズーム位置を取得し、表示部に現在のズーム位置を表示する。マクロＡＦ撮影が不可能な光学ズーム領域を取得し、マクロＡＦ撮影の不可領域を上記現在のズーム位置の表示に合わせて表示する。すなわち、図３に示すように、マクロＡＦモードが設定されると、現在のズーム位置と共にマクロＡＦ撮影に適切でないズーム領域を表示し、通常ＡＦモードが設定されると、マクロＡＦ撮影に適切でないズーム領域を表示しない。ユーザは、ズーム移動操作部７０を操作することにより、撮影レンズ（光学ズームレンズ）１０を移動させることができる。
【００６３】
第２の実施形態では、マクロＡＦ撮影状態が設定されていることを表示し、さらに現在の光学ズーム位置がマクロＡＦ撮影が可能であるかどうかを取得し撮影が不可能であった場合はマクロＡＦ撮影の表示にその旨の情報を付加する。すなわち、図５に示すように、マクロＡＦモードが設定された場合にマクロＡＦモードが設定されている情報を表示する際に、現在のズーム位置がマクロＡＦ撮影に適切でないズーム領域内にあるときにはその情報を付加して表示する。
【００６４】
なお、これに限定されず、マクロＡＦモードが設定された場合に、マクロＡＦモードが設定されている情報、及び現在のズーム位置がマクロＡＦ撮影に適切でないズーム領域内にあるときにはその情報を表示するものであってもよい。
【００６５】
第１及び第２の実施形態により、光学ズームを移動する際、マクロＡＦモードを設定する際に、両者の関係、現在の状態を直感的に把握することが可能で、利用者が、誤操作をしたり、予期しない画像を撮影してしまうことを防ぐことができる。また、利用者は、光学ズーム領域でマクロ撮影に不適切な領域がある場合に、混乱することなく操作を行う事が可能である。
【００６６】
本実施形態は、コンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６７】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００６８】
【図１】本発明の実施形態の撮像装置のシステム構成図である。
【図２】本実施形態を実施する為の制御を示す図である。
【図３】ズームバーの説明図である。
【図４】ズームバー描画処理の流れを示す図である。
【図５】マクロアイコンの表示状態を示す図である。
【符号の説明】
【００６９】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  カードコントローラ
９１  インタフェース
９２  コネクタ
９８  記録媒体着脱検知手段
１００  デジタルカメラ
１０２  保護手段
１０４  光学ファインダ
１１０  通信手段
１１２  コネクタ（またはアンテナ）
２００  外部記録媒体
３００  ズームバー
３０１  ワイド端アイコン
３０２  現在のズーム位置バー
３０３  ズーム稼動全体領域バー
３０４  マクロＡＦ撮影不適切領域バー
３０５  テレ端アイコン
【図１】
2005208395.tif 000003
【図２】
2005208395.tif 000004
【図３】
2005208395.tif 000005
【図４】
2005208395.tif 000006
【図５】
2005208395.tif 000007